(57)【要約】【課題】本発明は、送信等の各種画像処理済みの画像データを適切にバックアップする画像処理装置に関する。【解決手段】ファクシミリ装置１は、メモリ８内の画像データのファクシミリ送信（画像処理）が成功すると、当該送信済み画像データをネットワーク制御部１０に接続されているネットワーク上のサーバにバックアップ送信するが、このバックアップ送信が失敗すると、任意に設定されたリトライ条件に基づいて当該送信済み画像データのリトライ送信を行う。したがって、ファクシミリ装置１の使用環境に応じたリトライ条件でリトライ送信を行うことができ、送信済み画像データを確実にバックアップすることができる。【選択図】          図１
2006332723.tif 000002
【特許請求の範囲】
【請求項１】
画像データを画像記憶手段に記憶し、当該画像記憶手段内の画像データのデータ送信等の画像処理を正常に終了すると、当該画像記憶手段内の画像処理済み画像データを所定のサーバにバックアップ送信し、当該バックアップ送信が成功すると、当該画像記憶手段内の当該画像処理済み画像データを消去する画像処理装置において、前記バックアップ送信のリトライ送信を行うリトライ条件を任意に設定する設定手段を備え、前記画像処理済み画像データのバックアップ送信が不成功に終わると、前記設定手段で設定されたリトライ条件に従って当該画像処理済み画像データをリトライ送信することを特徴とする画像処理装置。
【請求項２】
前記画像処理装置は、前記リトライ条件に基づく全てのリトライ送信が失敗した場合の通知方法を複数種類記憶する記憶手段と、当該記憶手段の複数種類の通知方法の１つを選択する選択手段と、を備え、前記全てのリトライ送信が失敗すると、当該選択手段で選択された通知方法でバックアップの失敗を通知するバックアップ失敗通知処理を行うことを特徴とする請求項１記載の画像処理装置。
【請求項３】
前記画像処理装置は、前記画像記憶手段内の前記画像処理済み画像データのバックアップ送信またはリトライ送信において、当該画像記憶手段への画像データの蓄積を伴う新たな動作が発生して当該画像記憶手段の記憶容量が不足すると、当該バックアップ送信または当該リトライ送信を中止して、当該画像処理済み画像データを当該画像記憶手段から消去するとともに、前記バックアップ失敗通知処理を行うことを特徴とする請求項２記載の画像処理装置。
【発明の詳細な説明】
【技術分野】
【０００１】
本発明は、画像処理装置に関し、詳細には、画像処理済みの画像データを適切にバックアップする画像処理装置に関する。
【背景技術】
【０００２】
画像処理装置、例えば、ファクシミリ装置においては、送信結果が不達の場合に、当該送信に失敗した原稿を再送信する再送信機能を備えたものがあり、送信の確実性を向上させている（特許文献１、特許文献２等参照）。
【０００３】
一方、ファクシミリ装置においては、送信の完了した原稿の画像データを内部メモリまたはネットワークに接続されたサーバに送信履歴画像として保存して、再利用等に供するバックアップ機能を備えたものが出現しており、利用性を向上させている（特許文献３、特許文献４等参照）。
【０００４】
このような従来のバックアップ機能を備えたファクシミリ装置は、ファクシミリ送信を行うと、全ての送信画像データをバックアップ処理したり（特許文献３参照）、バックアップを行うデータとして設定されている画像データのみをバックアップ処理している（特許文献４参照）。
【０００５】
【特許文献１】特開平５−１９１６１８号公報
【特許文献２】特開２００４−３２０９４号公報
【特許文献３】特開２００３−１１５９７１号公報
【特許文献４】特開平１１−３３１４５４号公報
【発明の開示】
【発明が解決しようとする課題】
【０００６】
しかしながら、上記バックアップ機能を備えた従来のファクシミリ装置にあっては、バックアップをサーバに対して行う場合に、より確実にバックアップを行う上で、改良の必要があった。
【０００７】
すなわち、上記バックアップ処理を行う従来技術にあっては、サーバに対して単に送信済みデータをバックアップ送信するのみであり、当該バックアップ送信がネットワーク上のトラブルや設置環境等の理由で送信エラーが発生した場合の対応策につては考慮されておらず、バックアップをより確実に行う上で、改良の必要があった。
【０００８】
また、ファクシミリ装置に限らず、データ送信等の各種画像処理を行った画像処理済み画像データをより確実にバックアップを行う上で、改良の必要があった。
【０００９】
そこで、本発明は、ファクシミリ送信等の各種画像処理済みの画像データをより確実にバックアップし、利用性の良好な画像処理装置を提供することを目的としている。
【課題を解決するための手段】
【００１０】
請求項１記載の発明の画像処理装置は、画像データを画像記憶手段に記憶し、当該画像記憶手段内の画像データのデータ送信等の画像処理を正常に終了すると、当該画像記憶手段内の画像処理済み画像データを所定のサーバにバックアップ送信し、当該バックアップ送信が成功すると、当該画像記憶手段内の当該画像処理済み画像データを消去する画像処理装置において、前記バックアップ送信のリトライ送信を行うリトライ条件を任意に設定する設定手段を備え、前記画像処理済み画像データのバックアップ送信が不成功に終わると、前記設定手段で設定されたリトライ条件に従って当該画像処理済み画像データをリトライ送信することにより、上記目的を達成している。
【００１１】
この場合、例えば、請求項２に記載するように、前記画像処理装置は、前記リトライ条件に基づく全てのリトライ送信が失敗した場合の通知方法を複数種類記憶する記憶手段と、当該記憶手段の複数種類の通知方法の１つを選択する選択手段と、を備え、前記全てのリトライ送信が失敗すると、当該選択手段で選択された通知方法でバックアップの失敗を通知するバックアップ失敗通知処理を行うものであってもよい。
【００１２】
また、例えば、請求項３に記載するように、前記画像処理装置は、前記画像記憶手段内の前記画像処理済み画像データのバックアップ送信またはリトライ送信において、当該画像記憶手段への画像データの蓄積を伴う新たな動作が発生して当該画像記憶手段の記憶容量が不足すると、当該バックアップ送信または当該リトライ送信を中止して、当該画像処理済み画像データを当該画像記憶手段から消去するとともに、前記バックアップ失敗通知処理を行うものであってもよい。
【発明の効果】
【００１３】
本発明の画像処理装置によれば、ファクシミリ送信やデータ送信等の各種画像処理済み画像データの所定のサーバへのバックアップ送信が失敗すると、任意に設定されたリトライ条件に基づいて当該画像処理済み画像データのリトライ送信を行うので、画像処理装置の使用環境に応じたリトライ条件で画像処理済み画像データのリトライ送信を行うことができ、画像処理済み画像データをより一層確実にバックアップして、利用性を向上させることができる。
【発明を実施するための最良の形態】
【００１４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１５】
図１〜図７は、本発明の画像処理装置の一実施例を示す図であり、図１は、本発明の画像処理装置の一実施例を適用したファクシミリ装置１の要部ブロック構成図である。
【００１６】
図１において、ファクシミリ装置１は、ＦＡＸ制御部２、操作部３、表示部４、読取部５、記録部６、信号発生部７、メモリ８、回線制御部９及びネットワーク制御部１０等を備えている。
【００１７】
ＦＡＸ制御部２は、例えば、ＣＰＵ（Central Processing Unit ）、ＲＯＭ（Read Only Memory）、ＲＡＭ（Random Access Memory）等を備え、ＲＯＭ内には、ファクシミリ装置１の基本処理プログラムや後述するバックアップ送信制御処理プログラム等の各種プログラムが格納されているとともに、これらの基本処理プログラム及びバックアップ送信制御処理プログラム等を実行するのに必要な各種データやシステムデータ等が格納されている。ＦＡＸ制御部２は、そのＣＰＵがＲＡＭをワークメモリとして利用しつつ、ＲＯＭ内のプログラムに基づいてファクシミリ装置１の各部を制御し、ファクシミリ装置１としての基本処理を実行するとともに、後述するバックアップ送信制御処理を実行する。
【００１８】
操作部（設定手段、選択手段）３は、テンキーやスタートキー、ファンクションキー及びワンタッチキー等の各種操作キーを備えており、操作キーからは、送信操作等の各種命令が入力操作される。特に、操作部３は、後述する送信済み画像データのバックアップ送信に対するリトライ送信条件の設定入力及び全てのリトライ送信が失敗した場合の複数種類の通知方法から１つの選択入力に使用される。
【００１９】
ＦＡＸ制御部２は、操作部３での各種操作内容を取得して、当該操作で指示された処理を実行する。
【００２０】
表示部４は、例えば、ＬＣＤ（Liquid Crystal Display）等が用いられ、ＦＡＸ制御部２の制御下で、ファクシミリ装置１からオペレータに通知する各種情報、特に、操作キーからの命令内容やバックアップ送信制御処理でオペレータに通知する各種情報、例えば、バックアップ送信の送信結果、特に、バックアップ送信の送信失敗の通知メッセージ等を表示する。
【００２１】
読取部５は、例えば、ＣＣＤ（Charge Coupled Device ）を利用したラインイメージスキャナ等が用いられており、読取部５は、原稿を走査して、当該原稿の画像を所定の解像度で読み取って、画像データとして出力する。
【００２２】
記録部６は、例えば、電子写真式記録装置やインク噴射式記録装置等が用いられており、受信画像や読取部５で読み取られた画像を記録紙に記録出力するともに、通信レポートやバックアップ送信結果等を記録紙に記録出力する。
【００２３】
メモリ（画像記憶手段、記憶手段）８は、バッテリバックアップされたＲＡＭあるいはハードディスク等で構成され、読取部５で読み取られて送受信する画像データを一時記憶するとともに、ファクシミリ装置１の各種情報、特に、バックアップ送信制御処理で使用される各種情報を記憶する。
【００２４】
信号発生部７は、メモリ８内の送信する画像データを専用伝送フォーマットに組み立てる。
【００２５】
回線制御部９には、公衆電話回線等の回線が接続されており、回線制御部９は、ＦＡＸ制御部２の制御下で動作して、当該回線を介して、回線の捕捉、発信先電話番号である選択信号の送出、着信の検出等を行って、回線からの発呼に対して自動着呼し、また、回線Ｌへの自動発呼処理を行うとともに、相手ファクシミリ装置との間でファクシミリ制御信号を交換して、ファクシミリ通信手順を実行する。
【００２６】
ネットワーク制御部１０には、送信済み画像データを蓄積する専用のサーバの接続されているＬＡＮ（Local Area Network）等のネットワークが接続されており、ネットワーク制御部１０は、当該ネットワークを介して、サーバに接続して、送信済み画像データのバックアップ送信を行い、また、当該サーバに蓄積されているバックアップデータの取得を行う。
【００２７】
そして、ファクシミリ装置１は、ファクシミリ送信の完了した送信済み画像データ（画像処理済み画像データ）をネットワーク制御部１０に接続されているネットワーク上のサーバにバックアップデータとして送信するバックアップ送信処理を行うとともに、当該バックアップ送信に失敗すると、予め設定されているバックアップ送信リトライ条件（リトライ条件）に基づいて当該送信済み画像データのバックアップ送信のリトライ処理を行う。このバックアップ送信リトライ条件は、例えば、図２に示すように、リトライ回数とリトライ間隔からなり、ユーザが設定手段である操作部３のキー操作で任意に設定することができる。そして、ＦＡＸ制御部２は、操作部３で設定操作されたバックアップ送信リトライ条件を、メモリ８に記憶させる。したがって、このメモリ８は、不揮発性メモリや電池バックアップされていて、停電等のときにも、記憶内容を保持することが好ましい。このリトライ回数及びリトライ間隔のリトライ条件は、ファクシミリ装置１の設置環境を鑑みて通信トラフィックに影響せず、また、送信失敗時の妥当なリトライ条件としてリトライ回数等が設定される。
【００２８】
また、ファクシミリ装置１は、バックアップ送信に失敗した際に、ファクシミリ装置１の管理者等にその旨を通知する通知処理を行うが、この通知方法を選択手段としての操作部３のキー操作で選択設定することができ、例えば、図３に示すように、メモリ８に予め登録されているバックアップ送信に失敗したことのみを通知する通知方法Ａと、バックアップ送信に失敗したことと失敗した画像を通知する通知方法Ｂと、から選択設定することができる。ＦＡＸ制御部２は、操作部３で選択設定された通知方法を、メモリ８に記憶させる。
【００２９】
さらに、ファクシミリ装置１は、バックアップ送信やバックアップリトライ送信中に新たな送信原稿の画像データの蓄積動作や受信処理等のメモリ８へのデータの蓄積を伴う動作処理（以下、ジョブという。）が発生すると、当該ジョブをバックアップ送信やバックアップリトライ送信よりも優先させて処理することで、ファクシミリ装置１の利用性を向上させる。ところが、このバックアップ送信やバックアップリトライ送信中に、上記新たなジョブが発生した際に、メモリ８の容量が不足（以下、メモリ不足）になると、処理中のバックアップ送信やバックアップリトライ送信を中止して、当該バックアップ送信やバックアップリトライ送信中の画像データをメモリ８から消去することで、当該新たなジョブに対してメモリ８を空ける処理を行って、新たなジョブを優先させて処理する。
【００３０】
そこで、このようなメモリ不足が発生すると、ＦＡＸ制御部２が、図４に示すように、メモリ８の強制不達設定のＯＮ／ＯＦＦ設定をＯＮに設定して、バックアップ送信やバックアップリトライ送信を強制的に中止し、上記バックアップ送信に失敗した旨の通知処理を強制的に行う（強制不達通知処理を行う）。
【００３１】
また、ファクシミリ装置１は、上記バックアップ送信の宛先を、例えば、図５に示すように、宛先Ａ等のようにメモリ８に記憶しており、バックアップ送信は、この宛先に対してのみ行う。そして、このバックアップ送信の宛先は、例えば、上記ネットワーク制御部１０に接続されているネットワーク上のサーバであるが、バックアップ送信の宛先としては、ネットワーク上のサーバに限るものではなく、例えば、回線制御部９に接続されている回線上の特定のファクシミリ装置等をバックアップのサーバとしてもよい。
【００３２】
次に、本実施例の作用を説明する。本実施例のファクシミリ装置１は、ファクシミリ送信の完了した送信済み画像データを指定のバックアップ送信宛先であるサーバにバックアップ送信するが、このバックアップ送信に失敗すると、指定のバックアップ送信リトライ条件に基づいて当該送信済み画像データのバックアップ送信のリトライ処理を行う。
【００３３】
すなわち、ファクシミリ装置１は、送信宛先へのファクシミリ送信が正常に終了すると（ステップＳ１０１）、ＦＡＸ制御部２が、リトライ回数に「１」を設定するとともに、バックアップ送信時間をメモリ８から読み出して設定する（ステップＳ１０２）。
【００３４】
次に、ＦＡＸ制御部２は、メモリ８の強制不達情報がＯＮ設定となっているかチェックし（ステップＳ１０３）、強制不達情報がＯＦＦ設定となっているときには、メモリ不足発生していないと判断して、メモリ８内に設定されているバックアップ送信宛先に際して、送信済み画像データのバックアップ送信を開始する（ステップＳ１０４）。
【００３５】
ＦＡＸ制御部２は、バックアップ送信を開始すると、当該送信が正常に終了したかチェックし（ステップＳ１０５）、送信が正常に終了すると、バックアップリトライ送信を行う必要がないため、そのまま処理を終了する。
【００３６】
ステップＳ１０５で、送信が正常に終了しないときには、ＦＡＸ制御部２は、ステップＳ１０２で設定したリトライ設定時間に基づいて次の送信時間の設定（次送信時間の設定）を行うとともに、リトライ回数カウンタのカウントを「１」だけ加算（リトライ回数カウントアップ）し（ステップＳ１０６）、リトライ設定回数がステップＳ１０２で設定したリトライ回数を超えているかチェックする（ステップＳ１０７）。
【００３７】
ステップＳ１０７で、リトライ設定回数がリトライ回数を超えていないときには、ＦＡＸ制御部２は、ステップＳ１０３に戻って強制不達情報の設定の確認から上記同様に処理し（ステップＳ１０３〜Ｓ１０７）、ステップＳ１０７で、リトライ設定回数がリトライ回数を超えると、不達処理を実行して、処理を終了する（ステップＳ１０８）。
【００３８】
上記処理において、ステップＳ１０３で、強制不達情報がＯＮ設定となっているときには、ＦＡＸ制御部２は、メモリ不足が発生していると判断して、バックアップ送信を中止して、不達処理を実行し、処理を終了する（ステップＳ１０８）。
【００３９】
次に、ステップＳ１０８での不達処理について、図７に基づいて説明する。ＦＡＸ制御部２は、不達処理に移行すると、まず、バックアップ送信またはバックアップリトライ送信に失敗したことを通知する不達レポートを作成して、記録部６に記録紙に記録出力させ（ステップＳ２０１）、バックアップ失敗時の通知方法がバックアップ送信に失敗したこと及び失敗した画像を通知する上記通知方法Ｂであるかチェックする（ステップＳ２０２）。
【００４０】
ステップＳ２０２で、バックアップ失敗時の通知方法としてバックアップ送信に失敗したことのみを通知する通知方法Ａが選択されているときには、ＦＡＸ制御部２は、既にステップＳ２０１で不達レポートを印刷出力しているので、そのまま処理を終了する。
【００４１】
ステップＳ２０２で、バックアップ失敗時の通知方法としてバックアップ送信に失敗したこと及び失敗した画像を通知する通知方法Ｂが選択されているときには、ＦＡＸ制御部２は、メモリ８からバックアップ送信に失敗した画像データを読み出して記録部６で記録紙に印刷出力させて、処理を終了する（ステップＳ２０３）。
【００４２】
このように、本実施例のファクシミリ装置１は、メモリ８内のファクシミリ送信済み画像データの所定のサーバへのバックアップ送信が失敗すると、任意に設定されたリトライ条件に基づいて当該送信済み画像データのリトライ送信を行っている。
【００４３】
したがって、ファクシミリ装置１の使用環境に応じたリトライ条件で送信済み画像データのリトライ送信を行うことができ、送信済み画像データをより一層確実にバックアップして、利用性を向上させることができる。
【００４４】
また、本実施例のファクシミリ装置１は、リトライ送信に失敗すると、バックアップ送信に失敗したことのみを通知する通知方法Ａとバックアップ送信に失敗したことと失敗した画像を通知する通知方法Ｂのうち指定された通知方法で、バックアップに失敗した旨を通知している。
【００４５】
したがって、適切かつ確実にバックアップ送信の失敗を、ユーザの意図する通知方法で適切に認識させることができる。
【００４６】
さらに、本実施例のファクシミリ装置１は、バックアップ送信やバックアップリトライ送信中に新たな送信原稿の画像データの蓄積動作や受信処理等のメモリ８へのデータの蓄積を伴う動作処理（ジョブ）が発生して、メモリ８の容量不足が発生すると、処理中のバックアップ送信やバックアップリトライ送信を中止して、当該バックアップ送信やバックアップリトライ送信中の画像データをメモリ８から消去するとともに、指定の通知方法でバックアップ送信の失敗を通知している。
【００４７】
したがって、新たなジョブに対してメモリ８を空ける処理を行って、新たなジョブを優先させて処理することができ、ファクシミリ装置１の利用性を向上させることができるとともに、バックアップの失敗を認識させることができる。
【００４８】
なお、上記実施例においては、画像処理装置としてファクシミリ装置１に適用し、画像処理としてファクシミリ送信処理を行った場合について説明したが、画像処理装置としては、ファクシミリ装置に限るものではなく、例えば、パーソナルコンピュータ、スキャナ、複写装置等の画像処理装置一般に適用することができ、また、画像処理としても、ファクシミリ送信処理に限るものではなく、画像の読取処理、編集処理、データ送信処理等の各種画像処理一般に適用することができる。
【００４９】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５０】
ファクシミリ送信等の各種画像処理済みの画像データをバックアップ送信する画像処理装置一般に適用することができる。
【図面の簡単な説明】
【００５１】
【図１】本発明の画像処理装置の一実施例を適用したファクシミリ装置の要部ブロック構成図。
【図２】図１のメモリに設定登録されるバックアップ送信のリトライ条件としてのリトライ回数とリトライ間隔の一例を示す図。
【図３】図１のファクシミリ装置による選択可能なバックアップ送信不達通知方法の一例を示す図。
【図４】図１のメモリに設定されるファクシミリ装置によるバックアップ送信時の強制不達設定内容を示す図。
【図５】図１のメモリに設定登録されるファクシミリ装置によるバックアップ送信宛先の一例を示す図。
【図６】図１のファクシミリ装置によるバックアップ送信・リトライ送信処理を示すフローチャート。
【図７】図６の不達処理の詳細なフローチャート。
【符号の説明】
【００５２】
１  ファクシミリ装置
２  ＦＡＸ制御部
３  操作部
４  表示部
５  読取部
６  記録部
７  信号発生部
８  メモリ
９  回線制御部
１０  ネットワーク制御部
【図１】
2006332723.tif 000003
【図２】
2006332723.tif 000004
【図３】
2006332723.tif 000005
【図４】
2006332723.tif 000006
【図５】
2006332723.tif 000007
【図６】
2006332723.tif 000008
【図７】
2006332723.tif 000009